(57)【特許請求の範囲】
【請求項１】
（ａ）端子部材を備えるカードを保持可能、かつ、カード用コネクタに挿入可能なカード保持部材であって、
（ｂ）該カード保持部材のカード用コネクタへの挿入方向前方に位置する前枠部と、該前枠部の両端に連結された側枠部とを含む枠部であって、金属板から成る金属部と、該金属部の周囲の少なくとも一部を被覆する樹脂部とを含む枠部を備え、
（ｃ）前記金属部は前金属枠部を含み、該前金属枠部の前端面は前記前枠部の前端面に露出し、
（ｄ）前記前金属枠部は陥没部を含み、該陥没部の前面は、前記前金属枠部の前端面と面一であるとともに、該前端面から前記前枠部の厚さ方向に変位した部分を含むことを特徴とするカード保持部材。
【請求項２】
前記陥没部の後面は、前記前面と平行であって、前記前枠部の樹脂部内に埋没している請求項１に記載のカード保持部材。
【請求項３】
前記陥没部の上面は、前記前金属枠部の上面から陥没している請求項１又は２に記載のカード保持部材。
【請求項４】
前記陥没部の上面は連続面であるとともに、前記前金属枠部の上面と連続している請求項３に記載のカード保持部材。
【請求項５】
前記陥没部の上面は前記樹脂部によって被覆されていない請求項４に記載のカード保持部材。
【請求項６】
前記前金属枠部は、前記前枠部の厚さ方向に延在する境界面を含み、該境界面は前記陥没部の上面の後端と連続している請求項５に記載のカード保持部材。
【請求項７】
前記陥没部の上面に、又は、該上面と前記前金属枠部の上面との間に隙間が存在する請求項３に記載のカード保持部材。
【請求項８】
前記陥没部の上面は前記樹脂部によって被覆されている請求項７に記載のカード保持部材。
【請求項９】
請求項１〜８のいずれか１項に記載のカード保持部材を挿入可能なカード用コネクタであって、前記陥没部の前面に当接する当接部を備えるカード用コネクタ。
【請求項１０】
前記当接部は、前記カード保持部材を排出させる排出機構の排出部材の作用点部である請求項９に記載のカード用コネクタ。
【発明の詳細な説明】
【技術分野】
【０００１】
本発明は、カード保持部材及びカード用コネクタに関するものである。
【背景技術】
【０００２】
従来、携帯電話機等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。
【０００３】
近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。
【０００４】
図１８は従来のカード用コネクタを示す図である。
【０００５】
図において、８１１は、絶縁性材料から成るカード用コネクタのハウジングであり、図示されない複数の接続端子を備える。なお、説明の都合上、ハウジング８１１の上側に取付けられる金属製のシェルは、図示が省略されている。また、９６１は、樹脂材料から成るカード用トレイの枠部材であり、９６６は図示されないカードが収容される空間部である。そして、前記カード用トレイは、前記空間部９６６にカードを収容した状態で、カード用コネクタのハウジング８１１に挿入される。前記カード用トレイは、ハウジング８１１に配設された保持用スプリング８７５が枠部材９６１の保持用凹部９６８と係合することによって、ハウジング８１１内に保持される。
【０００６】
前記カード用トレイをハウジング８１１から取出す際には、利用者がカード用コネクタが備えるスライド部材８２２の操作部８２２ａをプッシュすると、スライド部材８２２は、コイルスプリング８２５の反発力に抗して、ハウジング８１１の奥方向（図における上方向）に押込まれる。そして、前記スライド部材８２２の前端に係合する係合部材８２２ｂは、ハウジング８１１のスライド部材収容部８１２の上面に形成された溝状のハートカムに沿って移動し、イジェクトレバー８２１の一端の力点部８２１ｂをハウジング８１１の奥方向に変位させる。
【０００７】
前記イジェクトレバー８２１は、支点部８２１ｃにおいて枢動可能にハウジング８１１に取付けられている。そのため、力点部８２１ｂがハウジング８１１の奥方向に変位すると、前記力点部８２１ｂの反対側に位置する作用点部８２１ａがハウジング８１１の手前方向（図における下方向）に変位する。したがって、前記カード用トレイは、枠部材９６１の前端がイジェクトレバー８２１の作用点部８２１ａによって、ハウジング８１１の手前方向に押出される。
【先行技術文献】
【特許文献】
【０００８】
【特許文献１】実用新案登録第３１８８６４６号公報
【発明の概要】
【発明が解決しようとする課題】
【０００９】
しかしながら、前記従来のカード用トレイは、樹脂材料の一体成形によって成形されているので、カード用コネクタへの挿入及び排出が繰返されると、枠部材９６１が摩滅したりしてしまう。また、カードの小型化に適合するようにカード用トレイを小型薄肉化すると、強度が低下し、破損してしまう可能性がある。特に、枠部材９６１の前端は、イジェクトレバー８２１の作用点部８２１ａによって強い力で押されるので、摩滅、破損等の損傷を受けやすい。
【００１０】
もっとも、カード用トレイを金属製にすれば、摩滅、破損等の損傷を受けにくくはなるが、この場合、寸法精度が低く、製造コストが高くなってしまう。
【００１１】
本発明は、前記従来の問題点を解決して、強度が高く、摩滅したり損傷を受けたりすることがなく、信頼性の高いカード保持部材及びカード用コネクタを提供することを目的とする。
【課題を解決するための手段】
【００１２】
そのために、本発明のカード保持部材においては、端子部材を備えるカードを保持可能、かつ、カード用コネクタに挿入可能なカード保持部材であって、該カード保持部材のカード用コネクタへの挿入方向前方に位置する前枠部と、該前枠部の両端に連結された側枠部とを含む枠部であって、金属板から成る金属部と、該金属部の周囲の少なくとも一部を被覆する樹脂部とを含む枠部を備え、前記金属部は前金属枠部を含み、該前金属枠部の前端面は前記前枠部の前端面に露出し、前記前金属枠部は陥没部を含み、該陥没部の前面は、前記前金属枠部の前端面と面一であるとともに、該前端面から前記前枠部の厚さ方向に変位した部分を含む。
【００１３】
本発明の他のカード保持部材においては、さらに、前記陥没部の後面は、前記前面と平行であって、前記前枠部の樹脂部内に埋没している。
【００１４】
本発明の更に他のカード保持部材においては、さらに、前記陥没部の上面は、前記前金属枠部の上面から陥没している。
【００１５】
本発明の更に他のカード保持部材においては、さらに、前記陥没部の上面は連続面であるとともに、前記前金属枠部の上面と連続している。
【００１６】
本発明の更に他のカード保持部材においては、さらに、前記陥没部の上面は前記樹脂部によって被覆されていない。
【００１７】
本発明の更に他のカード保持部材においては、さらに、前記前金属枠部は、前記前枠部の厚さ方向に延在する境界面を含み、該境界面は前記陥没部の上面の後端と連続している。
【００１８】
本発明の更に他のカード保持部材においては、さらに、前記陥没部の上面に、又は、該上面と前記前金属枠部の上面との間に隙（すき）間が存在する。
【００１９】
本発明の更に他のカード保持部材においては、さらに、前記陥没部の上面は前記樹脂部によって被覆されている。
【００２０】
本発明のカード用コネクタにおいては、本発明のカード保持部材を挿入可能なカード用コネクタであって、前記陥没部の前面に当接する当接部を備える。
【００２１】
本発明の他のカード用コネクタにおいては、さらに、前記当接部は、前記カード保持部材を排出させる排出機構の排出部材の作用点部である。
【発明の効果】
【００２２】
本発明によれば、カード保持部材は、強度が高く、摩滅したり損傷を受けたりすることがないので、高い信頼性を得ることができる。
【図面の簡単な説明】
【００２３】
【図１】本発明の第１の実施の形態におけるカード用トレイの斜視図であって、（ａ）は後方斜め上から観た図、（ｂ）は前方斜め上から観た図である。
【図２】本発明の第１の実施の形態におけるカード用トレイの三面図であって、（ａ）は上面図、（ｂ）は側面図、（ｃ）は下面図である。
【図３】本発明の第１の実施の形態におけるカード用トレイの金属部を示す斜視図である。
【図４】本発明の第１の実施の形態におけるカード用トレイの金属部の三面図であって、（ａ）は上面図、（ｂ）は側面図、（ｃ）は下面図である。
【図５】本発明の第１の実施の形態におけるカード用コネクタの斜視図であって、（ａ）はシェルを取付けた状態を示す図、（ｂ）はシェルを取外した状態を示す図である。
【図６】本発明の第１の実施の形態におけるカード用コネクタにカード用トレイを挿入した状態を示す斜視図であってシェルを取外した状態を示す図である。
【図７】本発明の第１の実施の形態におけるカード用コネクタにカード用トレイを挿入した状態でのイジェクトレバーの作用点部とカード用トレイとの位置関係を説明する図であって、（ａ）はシェルを取外した状態の上面図、（ｂ）は（ａ）におけるＢ−Ｂ矢視断面図、（ｃ）は（ｂ）におけるＣ部拡大図である。
【図８】本発明の第１の実施の形態におけるカード用トレイの要部拡大図であって図１におけるＡ部拡大図である。
【図９】本発明の第１の実施の形態におけるカード用トレイの陥没部の第１の変形例を示す図であって図１におけるＡ部拡大図である。
【図１０】本発明の第１の実施の形態におけるカード用トレイの陥没部の第２の変形例を示す図であって図１におけるＡ部拡大図である。
【図１１】本発明の第１の実施の形態におけるカード用トレイの陥没部の第３の変形例を示す図であって図１におけるＡ部拡大図である。
【図１２】本発明の第１の実施の形態におけるカード用トレイの陥没部の第４の変形例を示す図であって図１におけるＡ部拡大図である。
【図１３】本発明の第２の実施の形態におけるカード用トレイ及びその金属部を示す斜視図であって、（ａ）はカード用トレイを示す図、（ｂ）はカード用トレイの金属部を示す図である。
【図１４】本発明の第２の実施の形態におけるカード用トレイの三面図であって、（ａ）は上面図、（ｂ）は側面図、（ｃ）は下面図である。
【図１５】本発明の第２の実施の形態におけるカード用トレイの金属部の三面図であって、（ａ）は上面図、（ｂ）は側面図、（ｃ）は下面図である。
【図１６】本発明の第２の実施の形態におけるカード用コネクタの斜視図であって、（ａ）はシェルを取付けた状態を示す図、（ｂ）はシェルを取外した状態を示す図である。
【図１７】本発明の第２の実施の形態におけるカード用コネクタにカード用トレイを挿入した状態を示す斜視図であってシェルを取外した状態を示す図である。
【図１８】従来のカード用コネクタを示す図である。
【発明を実施するための形態】
【００２４】
以下、本発明の実施の形態について図面を参照しながら詳細に説明する。
【００２５】
図１は本発明の第１の実施の形態におけるカード用トレイの斜視図、図２は本発明の第１の実施の形態におけるカード用トレイの三面図、図３は本発明の第１の実施の形態におけるカード用トレイの金属部を示す斜視図、図４は本発明の第１の実施の形態におけるカード用トレイの金属部の三面図、図５は本発明の第１の実施の形態におけるカード用コネクタの斜視図、図６は本発明の第１の実施の形態におけるカード用コネクタにカード用トレイを挿入した状態を示す斜視図であってシェルを取外した状態を示す図、図７は本発明の第１の実施の形態におけるカード用コネクタにカード用トレイを挿入した状態でのイジェクトレバーの作用点部とカード用トレイとの位置関係を説明する図、図８は本発明の第１の実施の形態におけるカード用トレイの要部拡大図であって図１におけるＡ部拡大図である。なお、図１において、（ａ）は後方斜め上から観た図、（ｂ）は前方斜め上から観た図であり、図２及び４において、（ａ）は上面図、（ｂ）は側面図、（ｃ）は下面図であり、図５において、（ａ）はシェルを取付けた状態を示す図、（ｂ）はシェルを取外した状態を示す図であり、図７において、（ａ）はシェルを取外した状態の上面図、（ｂ）は（ａ）におけるＢ−Ｂ矢視断面図、（ｃ）は（ｂ）におけるＣ部拡大図である。
【００２６】
図において、１６０は本実施の形態におけるカード保持部材としてのカード用トレイであり、図示されないカードを収容して保持した状態で、図示されない電子機器に取付けられたカード用コネクタ１に挿入される。前記カード用トレイ１６０の枠部１６１は、カード収容空間としての空間部１６６を備え、該空間部１６６内にカードを収容して保持する。つまり、カードは、その側面の少なくとも一部と対向する枠部１６１によって前記側面を囲繞（にょう）された状態でカード用トレイ１６０に収容され、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。
【００２７】
本実施の形態におけるカード用トレイ１６０において、カード収容空間としての空間部１６６は、前側に位置する第１空間部１６６ａと後側に位置する第２空間部１６６ｂとに分割されている。そして、第１空間部１６６ａ及び第２空間部１６６ｂの各々にカードを収容することができる。なお、第１空間部１６６ａ及び第２空間部１６６ｂには、同一種類のカードを収容することもできるし、互いに異なる種類のカードを収容することもできる。また、第１空間部１６６ａ又は第２空間部１６６ｂのいずれか一方にのみカードを収容し、他方にはカードを収容しないようにすることもできる。
【００２８】
ところで、例えば、電子機器にカード用コネクタ１以外のカード用コネクタが実装されているような場合には、ユーザがカード用コネクタ１を使用しないこともあり得る。そして、このような場合に、ユーザは、カードを収容していないカード用トレイ１６０、すなわち、空のカード用トレイ１６０をカード用コネクタ１に挿入した状態で保管することができる。
【００２９】
前記カードは、例えば、ＳＩＭカード、マイクロＳＩＭカード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、第１空間部１６６ａに収容されるカードはナノＳＩＭ（ｎａｎｏＳＩＭ）カードであり、第２空間部１６６ｂに収容されるカードはナノＳＩＭカード又はマイクロＳＤ（Ｒ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。また、ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。
【００３０】
本実施の形態において、カードは、端子部材である電極パッドが並ぶように配設された一面が下を向くような姿勢で空間部１６６内に収容されて保持される。
【００３１】
なお、本実施の形態において、カード用コネクタ１及びカード用トレイ１６０の各部の構成及び動作を説明するために使用される上、下、左、右、前、後等の方向を示す表現は、絶対的なものでなく相対的なものであり、カード用コネクタ１、カード用トレイ１６０又はそれらの部品が図に示される姿勢である場合に適切であるが、カード用コネクタ１、カード用トレイ１６０又はそれらの部品の姿勢が変化した場合には、姿勢の変化に応じて変更して解釈されるべきものである。
【００３２】
ここで、前記カード用トレイ１６０は、金属から成る板材に打抜き、折曲げ等の加工を施して一体的に形成された金属部１５１と、該金属部１５１の周囲の少なくとも一部を被覆して一体化するように、インサートモールド成形乃至オーバーモールド成形と称される成形方法によって成形された絶縁性の樹脂から成る樹脂部１６１ａとを含む部材である。
【００３３】
前記カード用トレイ１６０の枠部１６１は、カードを収容するカード収容空間としての空間部１６６の四辺を囲繞する略矩（く）形の枠部材であって、幅方向（Ｙ方向）に延在する互いに平行な後枠部１６２及び前枠部１６５と、前後方向（Ｘ方向）に延在し、後枠部１６２の両端と前枠部１６５の両端とを連結する一対の側枠部１６４とを含んでいる。さらに、前記枠部１６１は、前記後枠部１６２及び前枠部１６５と平行に延在し、左右の側枠部１６４を連結して空間部１６６を第１空間部１６６ａと第２空間部１６６ｂとに区分する中間枠部１６７を含んでいる。また、前記側枠部１６４において、第１空間部１６６ａに対応する部分を第１側枠部１６４ａと称し、第２空間部１６６ｂに対応する部分を第２側枠部１６４ｂと称する。
【００３４】
なお、一方の第１側枠部１６４ａと前枠部１６５とが連結される角部、具体的には、第１空間部１６６ａの前方右角部、及び、一方の第２側枠部１６４ｂと中間枠部１６７とが連結される角部、具体的には、第２空間部１６６ｂの前方右角部には、凸部１６４ｃが、それぞれ、形成されている。該凸部１６４ｃは、カード姿勢規制部として機能し、カードが正規の姿勢である場合には、第１空間部１６６ａ及び第２空間部１６６ｂ内へのカードの収容を許容するが、カードが非正規の姿勢である場合には、第１空間部１６６ａ及び第２空間部１６６ｂ内へカードを収容することができないようにする。したがって、非正規の姿勢、例えば、前後逆さま、表裏逆さま等の姿勢のカードをカード用トレイ１６０の第１空間部１６６ａ及び第２空間部１６６ｂ内へ挿入して収容することができない。
【００３５】
また、前記後枠部１６２の後方には、後板部１６３が接続されている。そして、該後板部１６３の一端には、該後板部１６３を板厚方向に貫通する挿通孔（こう）１６３ａが形成されている。該挿通孔１６３ａは、カード用コネクタ１のプッシュロッド２２の操作部２２ａを、ピン、ロッド等の補助部材を介して押圧操作する際に、該補助部材を挿通させる孔（あな）である。
【００３６】
前記後板部１６３を除き、後枠部１６２、側枠部１６４及び前枠部１６５は、Ｘ−Ｙ方向に延在する上面が互いに面一であるが、前枠部１６５及び中間枠部１６７のＸ−Ｙ方向に延在する下面は、側枠部１６４のＸ−Ｙ方向に延在する下面よりも上方に位置することが望ましい。さらに、前枠部１６５及び中間枠部１６７の下面は、第１空間部１６６ａ及び第２空間部１６６ｂ内に収容されて保持されたカードの下面よりも上方（Ｚ方）に位置することが望ましい。これにより、カード用トレイ１６０がカード用コネクタ１に挿入される際に、前枠部１６５及び中間枠部１６７が第１端子５１、第２端子５２及び第３端子５３に接触することが防止される。
【００３７】
そして、左右の側枠部１６４の内側下端からは、庇（ひさし）部１６８が空間部１６６の内側に向けて延出する。具体的には、左右の第１側枠部１６４ａの内側下端からは、第１庇部１６８ａが第１空間部１６６ａの内側に向けて延出し、左右の第２側枠部１６４ｂの内側下端からは、第２庇部１６８ｂが第２空間部１６６ｂの内側に向けて延出する。前記第１庇部１６８ａ及び第２庇部１６８ｂは、それぞれ、第１空間部１６６ａ及び第２空間部１６６ｂ内に収容されたカードの下面の少なくとも一部、例えば、前端近傍、後端近傍、側端近傍等を支持するカード支持部として機能する。なお、第１空間部１６６ａ及び第２空間部１６６ｂ内に収容されたカードの上面は、前記後枠部１６２、側枠部１６４及び前枠部１６５の上面とほぼ同一又はより低い高さとなることが望ましい。
【００３８】
また、前枠部１６５、後枠部１６２、第１側枠部１６４ａ及び第２側枠部１６４ｂ、並びに、中間枠部１６７における第１空間部１６６ａ及び第２空間部１６６ｂの内側に向いた側面、すなわち、内側面は、すべて絶縁性の樹脂で覆われており、金属部１５１は露出していない。したがって、第１空間部１６６ａ及び第２空間部１６６ｂ内に収容されたカードの下面に配設された電極パッドの周縁がカードの側面に露出していたとしても、金属から成る金属部１５１のいずれの箇所にも当接することはない。
【００３９】
前記金属部１５１は、例えば、板厚が０．２〔ｍｍ〕程度の金属板から成り、前記空間部１６６に対応する開口１５６の四辺を囲繞する略矩形の枠部材であって、幅方向に延在する互いに平行な後金属枠部１５２及び前金属枠部１５５と、前後方向に延在し、後金属枠部１５２の両端と前金属枠部１５５の両端とを連結する一対の金属側枠部１５４とを含んでいる。さらに、前記金属部１５１は、前記後金属枠部１５２及び前金属枠部１５５と平行に延在し、左右の金属側枠部１５４を連結して開口１５６を前記第１空間部１６６ａに対応する第１開口１５６ａと前記第２空間部１６６ｂに対応する第２開口１５６ｂとに区分する中間金属枠部１５７とを含んでいる。また、前記金属側枠部１５４において、第１開口１５６ａに対応する部分を第１金属側枠部１５４ａと称し、第２開口１５６ｂに対応する部分を第２金属側枠部１５４ｂと称する。
【００４０】
前記金属側枠部１５４及び前金属枠部１５５は、前記後枠部１６２、側枠部１６４及び前枠部１６５の上面及び下面と平行、すなわち、Ｘ−Ｙ方向に延在する平板状の部材であるが、前記後金属枠部１５２及び中間金属枠部１５７は、金属側枠部１５４に対してほぼ直角となるように上方に曲げられたＹ−Ｚ方向に延在する平板状の部材である。なお、前金属枠部１５５は、Ｙ−Ｚ方向に延在する連結部１５４ｃを介して金属側枠部１５４に連結され、該金属側枠部１５４よりも上方に位置する。
【００４１】
また、前記金属側枠部１５４の外側縁には、該金属側枠部１５４に対してほぼ直角となるように上方に折曲げられた金属側壁部１５８が連結されている。該金属側壁部１５８は、Ｘ−Ｚ方向に延在する平板状の部材である。なお、前記金属側壁部１５８において、前側に位置する部分を第１金属側壁部１５８ａと称し、後側に位置する部分を第２金属側壁部１５８ｂと称する。そして、前記第１金属側壁部１５８ａの前端には、前方に向けて延出する細長い帯状の部材である金属張出部１５９が連結されている。該金属張出部１５９は、後端に形成された側壁段差部１５９ａと、前端に形成された前端コーナ部１５９ｂとを備える。前記金属張出部１５９は、全体としてＸ−Ｚ方向に延在する平板状の部材であるが、前記側壁段差部１５９ａはＹ方向に屈曲した部分であり、前記前端コーナ部１５９ｂはＹ方向に湾曲して先端がＹ方向に向いた部分である。なお、前端コーナ部１５９ｂの上端縁は、前金属枠部１５５の上面とほぼ同一の高さとなっている。
【００４２】
図に示される例において、前金属枠部１５５の前端縁及び後端縁並びに第２金属側壁部１５８ｂの上端縁の複数箇所には、半円形の凹部である第１アンカー用凹部１７１が形成されている。該第１アンカー用凹部１７１は、インサートモールド成形乃至オーバーモールド成形と称される成形方法によって成形された樹脂部１６１ａの一部が進入して、アンカー部１６９を形成する部分である。これにより、いわゆるアンカー効果が得られるので、金属部１５１と樹脂部１６１ａとがより強固に一体化される。なお、前記第１アンカー用凹部１７１の数及び形成される箇所は、図に示される例に限定されるものでなく、任意に決定することができる。
【００４３】
また、第２金属側枠部１５４ｂと第２金属側壁部１５８ｂとの境界部分には、金属部１５１を板厚方向に貫通する開口である第１アンカー用開口部１７２が形成され、第１金属側枠部１５４ａと金属張出部１５９との間には開口である第２アンカー用開口部１７３が形成されている。前記第１アンカー用開口部１７２及び第２アンカー用開口部１７３にも、インサートモールド成形乃至オーバーモールド成形と称される成形方法によって成形された樹脂部１６１ａの一部が進入するので、アンカー効果が得られ、金属部１５１と樹脂部１６１ａとがより強固に一体化される。
【００４４】
図に示される例において、後金属枠部１５２は、その下端縁が後枠部１６２の下面と面一になるように露出し、他の部分は後枠部１６２及び側枠部１６４内に埋没する。また、中間金属枠部１５７は、その上端縁及び下端縁が中間枠部１６７の上面及び下面と面一になるように露出し、他の部分は中間枠部１６７及び側枠部１６４内に埋没する。さらに、金属側枠部１５４は、その下面及び外側縁は側枠部１６４の下面及び外側面と面一になるように露出し、他の部分は側枠部１６４内に埋没する。さらに、第２金属側壁部１５８ｂは、その上端縁及び下部外側面が側枠部１６４の上面及び外側面と面一になるように露出し、他の部分は側枠部１６４内に埋没する。さらに、第１金属側壁部１５８ａ及び金属張出部１５９は、その上端縁、下端縁及び外側面が側枠部１６４の上面、下面及び外側面と面一になるように露出し、他の部分は側枠部１６４内に埋没する。なお、前端コーナ部１５９ｂは、その上端縁、下端縁及び外側面が側枠部１６４と前枠部１６５との連結部分の上面、下面及び外側面と面一になるように露出し、他の部分は側枠部１６４と前枠部１６５との連結部分内に埋没する。
【００４５】
本実施の形態において、前金属枠部１５５には陥没部１７５が形成されている。該陥没部１７５は、カード用コネクタ１が備える部材であって該部材の当接部がカード用コネクタ１に挿入されたカード用トレイ１６０の前枠部１６５の前端面１６５ａに当接する部位に形成される。前記当接部は、例えば、排出部材としてのイジェクトレバー２１の作用点部２１ａ、検出スイッチの可動部材１７の表面等であるが、カード用コネクタ１が備える部材の一部であって、カード用コネクタ１に挿入されたカード用トレイ１６０の前枠部１６５の前端面１６５ａに当接する部分であれば、いかなる部材のいかなる部分であってもよい。ここでは、前記当接部は、カード用コネクタ１のイジェクトレバー２１の作用点部２１ａであるものとして説明する。また、陥没部１７５は、複数であってもよいが、ここでは単数であるものとする。図に示される例において、前記陥没部１７５が形成された部位は、カード用トレイ１６０の幅方向（Ｙ方向）の中央部付近であるが、前記イジェクトレバー２１の作用点部２１ａが当接する部位となるように、適宜変更することができる。
【００４６】
図８に示されるように、陥没部１７５は、前金属枠部１５５における前端面１５５ａ寄りの部分を、前方から観てＶ字状となるように下方に押入させたＶノッチ状の部分である。つまり、前記陥没部１７５は、前方から観て、左右両側に傾斜部分を備える連続した切れ目のない凹部である。そして、陥没部１７５の前面１７５ａは、前金属枠部１５５の前端面１５５ａと面一であって、前枠部１６５の前端面１６５ａに露出し、前金属枠部１５５の前端面１５５ａから前記前枠部１６５の厚さ方向（下方向）に変位した部分を含んでいる。また、陥没部１７５の上面１７５ｂは、下方に向けて傾斜し、かつ、互いに連続した切れ目のない一対の傾斜面であるとともに、前金属枠部１５５の上面と連続している。
【００４７】
なお、図に示される例において、陥没部１７５のＸ方向の寸法は、前記陥没部１７５外における前金属枠部１５５のＸ方向の寸法の半分程度であるが、前記前金属枠部１５５のＸ方向の寸法の半分より大きくても小さくてもよく、任意に設定することができる。
【００４８】
さらに、陥没部１７５と前金属枠部１５５における陥没部１７５の後方部分との境界には、上下方向（Ｚ方向）に延在する境界面１７５ｃが形成されている。該境界面１７５ｃは、前方から観て三角形状の平面であり、上面１７５ｂの後端と切れ目なく連続している。つまり、境界面１７５ｃと上面１７５ｂとの間には隙間が存在しない。したがって、Ｘ方向に関し、陥没部１７５及び該陥没部１７５を含む前金属枠部１５５の強度は高く、前面１７５ａがＸ方向に強い力を受けても、陥没部１７５及び該陥没部１７５を含む前金属枠部１５５は変形することがない。
【００４９】
また、陥没部１７５の後面１７５ｄは、前面１７５ａと平行な平面であって、前枠部１６５の樹脂部１６１ａ内に埋没している。図７（ｃ）に示されるように、前記後面１７５ｄの後方にインサートモールド成形乃至オーバーモールド成形と称される成形方法によって成形された樹脂部１６１ａの一部が進入するので、アンカー効果が得られ、前金属枠部１５５と前枠部１６５とがより強固に一体化される。
【００５０】
そして、前金属枠部１５５は、その上面の陥没部１７５以外の部分及び前端面１５５ａが前枠部１６５の上面及び前端面１６５ａと面一になるように露出し、他の部分は前枠部１６５内に埋没する。該前枠部１６５の前端面１６５ａは、イジェクトレバー２１の作用点部２１ａが当接し、該作用点部２１ａから排出方向の力を受ける部位なので、強度乃至耐久性が必要である。そこで、本実施の形態においては、特にイジェクトレバー２１の作用点部２１ａが当接する部位に、陥没部１７５が形成されている。また、側枠部１６４の外側面及び下面は、カード用コネクタ１の保持部材７５及び下側シェル１２と摺（しゅう）動する部位なので、強度乃至耐久性が必要であるため、金属側枠部１５４の一部が露出するように形成されている。なお、前述のように、金属部１５１のいかなる部分も、カードが収容される空間部１６６の内側に向いた面に露出しない。
【００５１】
また、金属部１５１は、Ｘ−Ｙ方向、Ｘ−Ｚ方向及びＹ−Ｚ方向に延在する平板状の部材を含み、これらの部材が樹脂部１６１ａにおけるＸ−Ｙ方向、Ｘ−Ｚ方向及びＹ−Ｚ方向に延在する面を挟込むようになっているので、金属部１５１と樹脂部１６１ａとの密着性が向上するとともに、カード用トレイ１６０の躯（く）体強度が向上する。なお、前記中間金属枠部１５７は、中間枠部１６７を備える場合には躯体強度の向上に好適であるが、中間枠部１６７が不要な場合には省略することもできる。
【００５２】
本実施の形態において、カード用コネクタ１は、図５に示されるように、主として合成樹脂等の絶縁性材料から成るハウジング１１と、導電性の金属から成る板材に打抜き、折曲げ等の加工を施すことによって一体的に成形され、ハウジング１１の上側に取付けられたカバー部材としてのシェル６５とを有する。該シェル６５は、概略矩形の天板部６２と、該天板部６２の側縁から立設する側板部６３とを備え、ハウジング１１及びカード用コネクタ１に挿入されたカード用トレイ１６０の少なくとも一部の上方を覆うようになっている。そして、前記カード用コネクタ１は、概略、扁（へん）平な直方体形状を備え、前記電子機器が備える、例えば、プリント配線基板等の基板の表面に取付けられ、後方（図５（ａ）における右下方）の挿入口１８から、カード用トレイ１６０が挿入される。具体的には、ハウジング１１とシェル６５との間に形成されるカード挿入空間内にカード用トレイ１６０が挿入される。
【００５３】
また、前記ハウジング１１は、金属から成る板材に打抜き、折曲げ等の加工を施して一体的に形成された複数の第１端子５１、第２端子５２、第３端子５３及び下側シェル１２を含み、該第１端子５１、第２端子５２、第３端子５３及び下側シェル１２の周囲の少なくとも一部を被覆して一体化するように、インサートモールド成形乃至オーバーモールド成形と称される成形方法によって形成された絶縁性の樹脂から成る樹脂部材を含む概略平板状の部材である。なお、前記下側シェル１２は、ハウジング１１を補強するフレーム部材であって、望ましくは、第１端子５１、第２端子５２及び／又は第３端子５３と同じ部材から形成されるが、前記第１端子５１、第２端子５２及び第３端子５３からは分離されて電気的に絶縁されている。
【００５４】
前記ハウジング１１は、概略矩形の平板状の端子保持部としての底壁部１１ｂと、ハウジング１１におけるカード用トレイ１６０の挿入方向（Ｘ方向）前方の前端部１１ｆに沿って幅方向（Ｙ方向）に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記奥壁部１１ａ及び側壁部１１ｅは、その下面が底壁部１１ｂの下面と面一であり、その上面が底壁部１１ｂの上面よりも上方に位置する。なお、ハウジング１１におけるカード用トレイ１６０の挿入方向後方の端部は、後端部１１ｒと称する。
【００５５】
ここで、底壁部１１ｂは、接続端子としての第１端子５１、第２端子５２及び第３端子５３の露出部を収容保持する第１端子保持凹部１１ｃ、第２端子保持凹部１１ｄ及び第３端子保持凹部１１ｇを備える。該第１端子保持凹部１１ｃ、第２端子保持凹部１１ｄ及び第３端子保持凹部１１ｇは、底壁部１１ｂを板厚方向に貫通する開口である。
【００５６】
そして、第１端子５１及び第３端子５３は、ハウジング１１の前後方向に延在する列を成すように、並んで配設されている。図に示される例では、３つずつ、２列に並ぶように配設されている。前記第１端子５１及び第３端子５３の各々は、少なくとも一部が底壁部１１ｂに埋込まれ、また、少なくとも接触部５１ａ及び５３ａが第１端子保持凹部１１ｃ及び第３端子保持凹部１１ｇ内に露出し、はんだ付部としてのソルダーテール部５１ｄ及び５３ｄが底壁部１１ｂの下面に露出する。前記接触部５１ａ及び５３ａは、第１端子５１及び第３端子５３の腕部が備えるばね性によって上方に向けて付勢され、カード用コネクタ１内に保持されたカード用トレイ１６０内のカードの電極パッドの各々に接触する。また、前記ソルダーテール部５１ｄ及び５３ｄは、前記基板に形成された信号線、コンタクトパッド、端子等に、はんだ付等によって電気的に接続される。
【００５７】
また、第２端子５２は、ハウジング１１の幅方向に延在する１本の列を成すように、並んで配設されている。前記第２端子５２は、少なくとも一部が底壁部１１ｂに埋込まれ、また、少なくとも接触部５２ａが第２端子保持凹部１１ｄ内に露出し、はんだ付部としてのソルダーテール部５２ｄが底壁部１１ｂの下面に露出する。前記接触部５２ａは、第２端子５２の腕部が備えるばね性によって上方に向けて付勢され、カード用コネクタ１内に保持されたカード用トレイ１６０内のカードの電極パッドの各々に接触する。また、前記ソルダーテール部５２ｄは、前記基板に形成された信号線、コンタクトパッド、端子等に、はんだ付等によって電気的に接続される。
【００５８】
前記第１端子５１及び第３端子５３は、例えば、ナノＳＩＭカードの電極パッドに適合するように配置されたものであり、前記第２端子５２は、例えば、マイクロＳＤ（Ｒ）カードの電極パッドに適合するように配置されたものである。つまり、前記カード用コネクタ１は、カード用トレイ１６０に収容されるカードの種類が異なる場合、例えば、前記カードがナノＳＩＭカードである場合にも、マイクロＳＤ（Ｒ）カードである場合にも適合するものである。なお、第１端子５１、第２端子５２及び第３端子５３の数及び配置の形態は、カードの電極パッドの数及び配置の形態に適合するように、適宜変更される。
【００５９】
前記底壁部１１ｂと左右の側壁部１１ｅとの間には、下側シェル１２が露出している。そして、左右の側壁部１１ｅの内側には、カード用コネクタ１内に挿入されたカード用トレイ１６０を保持する保持ばね部としての保持部材７５が収容されている。該保持部材７５は、金属板等から成るばね性を備える帯板状の部材であり、ハウジング１１の幅方向内側を向いて膨出する保持用凸部７５ａが形成されている。
【００６０】
また、前記側壁部１１ｅの一方の内側には、カード用コネクタ１内に挿入されたカード用トレイ１６０を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。
【００６１】
前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６０の前枠部１６５の前端面１６５ａに当接して、カード用トレイ１６０に排出方向の力を付与する作用点部２１ａとして機能する。具体的には、該作用点部２１ａは、前枠部１６５の前端面１６５ａに露出する前金属枠部１５５における陥没部１７５の前面１７５ａに当接する。
【００６２】
前記シェル６５は、天板部６２の側縁から立設する側板部６３を有する。該側板部６３には、複数の掛止開口６３ａが形成され、シェル６５をハウジング１１の上側に取付けると、該ハウジング１１の側壁部１１ｅの外側面に形成された掛止突起１３に前記掛止開口６３ａが掛止され、これにより、シェル６５がハウジング１１に固定される。また、前記側板部６３の下端の任意の箇所には、側板部６３から立設し、シェル６５の幅方向外側に向けて延出する基板接続部としてのソルダーテール部６４が形成されている。該ソルダーテール部６４は、前記基板の表面に形成された固定用パッド等に、はんだ付等によって固定される。
【００６３】
さらに、ハウジング１１には、カード用コネクタ１に挿入されたカード用トレイ１６０が、カード用コネクタ１内の所定位置（カード用トレイ１６０の挿入が完了してロックされる位置）に到達したことを検出する検出スイッチの可動部材１７及び固定部材１６が配設されている。カード用トレイ１６０が前記所定位置に到達していない場合には、可動部材１７と固定部材１６とが接触しているので、検出スイッチが導通状態、すなわち、オン（ＯＮ）になっている。しかし、カード用トレイ１６０が前記所定位置に到達すると、可動部材１７がカード用トレイ１６０の前枠部１６５に当接して押され、これにより、可動部材１７が変位して固定部材１６から離間する。したがって、検出スイッチが非導通状態、すなわち、オフ（ＯＦＦ）になるので、カード用トレイ１６０が前記所定位置に到達したことが検出される。
【００６４】
次に、前記構成のカード用コネクタ１の動作について説明する。まず、カード用トレイ１６０を挿入する場合の動作について説明する。
【００６５】
ユーザは、手指等によって、カードが収容されたカード用トレイ１６０をカード用コネクタ１の後方から挿入口１８に挿入する。ここで、カード用トレイ１６０は、その上面が上を向き、すなわち、シェル６５の天板部６２と向合い、その下面が下を向き、すなわち、ハウジング１１の底壁部１１ｂと向合い、前枠部１６５がハウジング１１の前端部１１ｆの方を向くような姿勢、すなわち、正規姿勢で挿入される。そのため、空間部１６６に収容されているカードは、電極パッドが配設されていない裏面が上を向き、電極パッドが配設された表面がカード用トレイ１６０の下面に露出した状態で下を向く姿勢となっている。なお、カード用トレイ１６０は、カードを収容していない状態であっても、カードを収容した状態であっても、カード用コネクタ１に挿入及び排出することができるが、ここでは、カードを収容している場合についてのみ説明する。また、該カードは、前述のように、ナノＳＩＭカード又はマイクロＳＤ（Ｒ）カードであるものとする。
【００６６】
カード用トレイ１６０が挿入口１８からハウジング１１とシェル６５との間に形成されるカード挿入空間内に挿入されると、側枠部１６４の下面が、下側シェル１２の上面と近接又は接触した状態で、また、側枠部１６４の外側面が、カード用コネクタ１の側壁部１１ｅの内側面と摺動してガイドされた状態で、カード用トレイ１６０はカード挿入空間内を進行する。なお、前記側枠部１６４は、その下面及び外側面に金属側枠部１５４の一部が露出しているので、下側シェル１２の上面と近接又は接触しても、側壁部１１ｅの内側面と摺動しても、摩耗したり損傷を受けたり破損したりすることがない。
【００６７】
続いて、ユーザがカード用トレイ１６０をプッシュして押込むと、保持部材７５が弾性的に変形して左右の保持部材７５の保持用凸部７５ａ同士の間隔が押広げられ、保持用凸部７５ａは、側枠部１６４の外側面に露出する金属張出部１５９に摺接しながら、相対的にカード用トレイ１６０の後方に移動する。
【００６８】
続いて、ユーザがカード用トレイ１６０を更に押込むと、図６及び７に示されるように、カード用トレイ１６０がカード用コネクタ１の所定位置に到達する。このとき、前枠部１６５に押され、可動部材１７が固定部材１６から離間し、検出スイッチがオフになるので、カード用トレイ１６０がカード用コネクタ１の所定位置に到達したことが検出される。なお、図６及び７においては、説明の都合上、カードの描画が省略されている。
【００６９】
また、カード用トレイ１６０がカード用コネクタ１の所定位置に到達すると、保持部材７５の保持用凸部７５ａが、金属張出部１５９の後端に形成された側壁段差部１５９ａを乗越え、該側壁段差部１５９ａと係合する。これにより、カード用トレイ１６０は、カード用コネクタ１内における所定位置にロックされた状態で保持される。また、保持部材７５によって左右から弾性的に挟持されるので、カード用トレイ１６０の幅方向の変位が規制される。
【００７０】
さらに、カード用トレイ１６０がカード用コネクタ１の所定位置にまで前進することによって、イジェクトレバー２１の作用点部２１ａが、前枠部１６５、具体的には、該前枠部１６５の前端面１６５ａに露出する前金属枠部１５５の前端面１５５ａ、に押されて前端部１１ｆの方向に向けて更に変位するので、イジェクトレバー２１の力点部２１ｂは、後端部１１ｒの方向に向けて更に変位し、プッシュロッド２２は、後方に最も突出した位置にまでスライドした状態となる。
【００７１】
さらに、カード用トレイ１６０がカード用コネクタ１の所定位置に到達すると、イジェクトレバー２１の作用点部２１ａは、ハウジング１１の奥壁部１１ａと干渉するので、それ以上前端部１１ｆの方向に向けて変位不能となる。したがって、カード用トレイ１６０も、それ以上前進不能となる。
【００７２】
そして、カード用トレイ１６０内に収容されているカードは、カード用トレイ１６０とともに所定位置に到達するので、カード用コネクタ１が実装された電子機器の演算手段等との間でデータの送受信を行うことができる状態となる。なお、カードが所定位置に保持されているとき、カード用コネクタ１の第１端子５１、第２端子５２及び／又は第３端子５３は、その接触部５１ａ、５２ａ及び／又は５３ａが、カードの電極パッドの各々に接触して導通している。
【００７３】
次に、カード用トレイ１６０をカード用コネクタ１から排出させる動作について説明する。
【００７４】
まず、ユーザが手指等によって、ピン、ロッド等の補助部材を、カード用トレイ１６０の後方から、後板部１６３に形成された挿通孔１６３ａに挿通させ、前記補助部材の先端をプッシュロッド２２の操作部２２ａに当接させる。そして、ユーザが補助部材を介してプッシュロッド２２を押込むと、該プッシュロッド２２の係合部２２ｂと係合するイジェクトレバー２１の力点部２１ｂが前方に変位する。そのため、イジェクトレバー２１の作用点部２１ａに前枠部１６５が押されて、カード用トレイ１６０は、所定位置から後端部１１ｒの方向に向けて変位する。このとき、保持部材７５の保持用凸部７５ａが金属張出部１５９の側壁段差部１５９ａと係合することによってカード用トレイ１６０はロックされているが、ユーザの手指等が発揮する力は、十分に大きいと考えられるので、ユーザがプッシュロッド２２の操作部２２ａをプッシュして押込むと、容易にロックが解除され、カード用トレイ１６０は後端部１１ｒの方向に向けて移動する。そして、それに伴って、検出スイッチがオフになり、カード用トレイ１６０が所定位置から後方に移動したことが検出される。
【００７５】
これにより、カード用トレイ１６０の後板部１６３は、カード用コネクタ１の挿入口１８から十分に大きく後方へ突出した状態となる。したがって、ユーザは、手指等によって後板部１６３を把持することにより、カード用トレイ１６０をカード用コネクタ１から引出して排出させることができる。
【００７６】
なお、前記前枠部１６５は、イジェクトレバー２１の作用点部２１ａから強い力を受けても、損傷したり破損したりすることがないようにするために、その前面に前金属枠部１５５の前端面１５５ａが露出している。
【００７７】
しかし、図７（ｃ）に示されるように、イジェクトレバー２１の作用点部２１ａの上下方向（Ｚ方向）の寸法、すなわち、厚さは、通常、前枠部１６５の厚さよりも薄く設定されている。また、カード用トレイ１６０及びカード用コネクタ１の各部分における上下方向の寸法に含まれる不可避的な寸法誤差によって、前枠部１６５とイジェクトレバー２１の作用点部２１ａとの上下方向の相対的位置関係は、図７（ｃ）に示されるものから上下方向にずれたものとなり得る。さらに、ハウジング１１の底壁部１１ｂへのイジェクトレバー２１の取付誤差によって、イジェクトレバー２１全体が支点部２１ｃを中心として上下方向に揺動し得るので、作用点部２１ａが上下方向に変位し得る。そのため、イジェクトレバー２１の作用点部２１ａが前枠部１６５の前端面１６５ａに当接する位置は、前金属枠部１５５の前端面１５５ａよりも下方になってしまうことがある。
【００７８】
そこで、本実施の形態においては、幅方向（Ｙ方向）に関し、イジェクトレバー２１の作用点部２１ａが当接する位置に対応する前金属枠部１５５の位置に、陥没部１７５が形成されている。該陥没部１７５は、その前面１７５ａが前金属枠部１５５の前端面１５５ａ及び前枠部１６５の前端面１６５ａと面一であって、かつ、前記前面１７５ａが、上下方向に延在する部分としてのＶ字状の傾斜部分を含んでいる。したがって、陥没部１７５の前面１７５ａが上下方向に亘（わた）って延在する範囲は、陥没部１７５外の前金属枠部１５５の前端面１５５ａの上下方向に亘って延在する範囲よりも広く、前枠部１６５の前端面１６５ａの上下方向に亘るより広い範囲に存在する。その結果、前述のように、イジェクトレバー２１の作用点部２１ａが前金属枠部１５５の前端面１５５ａよりも下方になっても、前記作用点部２１ａは、陥没部１７５の前面１７５ａに当接することとなる。
【００７９】
これにより、イジェクトレバー２１の作用点部２１ａは、確実に前金属枠部１５５の前端面１５５ａに当接することができるので、前枠部１６５が損傷したり破損したりすることがない。
【００８０】
次に、本実施の形態における陥没部１７５の変形例について説明する。
【００８１】
図９は本発明の第１の実施の形態におけるカード用トレイの陥没部の第１の変形例を示す図であって図１におけるＡ部拡大図、図１０は本発明の第１の実施の形態におけるカード用トレイの陥没部の第２の変形例を示す図であって図１におけるＡ部拡大図、図１１は本発明の第１の実施の形態におけるカード用トレイの陥没部の第３の変形例を示す図であって図１におけるＡ部拡大図、図１２は本発明の第１の実施の形態におけるカード用トレイの陥没部の第４の変形例を示す図であって図１におけるＡ部拡大図である。
【００８２】
図９に示される陥没部１７５は、第１の変形例であって、前方から観てＵ字状となるように下方に押入させたＵ字状の部分である。つまり、前記陥没部１７５は、前方から観て、左右両側に湾曲部分を備える連続した切れ目のない凹部である。そして、陥没部１７５の上面１７５ｂは、両側が下方に向けて傾斜し、中央部分が湾曲し、かつ、互いに連続した切れ目のない湾曲面である。その他の点については、図８に示される陥没部１７５と同様であるので、その説明を省略する。
【００８３】
図１０に示される陥没部１７５は、第２の変形例であって、前方から観てＶ字状となるように下方に押入させたＶ字状の部分であるが、左右両側の傾斜部分の間に隙間１７５ｅが形成されている。そして、陥没部１７５の上面１７５ｂは、下方に向けて傾斜する一対の傾斜面であるが、両者の間に隙間１７５ｅが存在する。つまり、上面１７５ｂに隙間１７５ｅが存在する。そのため、インサートモールド成形乃至オーバーモールド成形と称される成形方法によって成形された樹脂部１６１ａの一部が、前記隙間１７５ｅを通って進入し、上面１７５ｂが樹脂部１６１ａによって被覆され、上面１７５ｂ上に埋立部１６５ｂが形成されている。該埋立部１６５ｂの上面は前金属枠部１５５の上面と面一であり、前記埋立部１６５ｂの前面は前金属枠部１５５の前端面１５５ａ及び前枠部１６５の前端面１６５ａと面一である。その他の点については、図８に示される陥没部１７５と同様であるので、その説明を省略する。
【００８４】
図１１に示される陥没部１７５は、第３の変形例であって、前方から観て基端（図示される例において左端）から先端（図示される例において右端）に向けて、下方に傾斜するように押入させた直線状の部分である。そして、前記基端は前金属枠部１５５に連結され、前記先端は前金属枠部１５５から切離され、前記先端と前金属枠部１５５との間に隙間１７５ｅが存在する。つまり、上面１７５ｂと前金属枠部１５５の上面との間に隙間１７５ｅが存在する。そのため、インサートモールド成形乃至オーバーモールド成形と称される成形方法によって成形された樹脂部１６１ａの一部が、前記隙間１７５ｅを通って進入し、上面１７５ｂが樹脂部１６１ａによって被覆され、上面１７５ｂ上に埋立部１６５ｂが形成されている。該埋立部１６５ｂの上面は前金属枠部１５５の上面と面一であり、前記埋立部１６５ｂの前面は前金属枠部１５５の前端面１５５ａ及び前枠部１６５の前端面１６５ａと面一である。その他の点については、図８に示される陥没部１７５と同様であるので、その説明を省略する。
【００８５】
図１２に示される陥没部１７５は、第４の変形例であって、前方から観て基端（図示される例において左端）から先端（図示される例において右端）に向けて、下方に傾斜するように押入させた略Ｌ字状に湾曲した部分である。そして、前記基端は前金属枠部１５５に連結され、前記先端は前金属枠部１５５から切離され、前記先端と前金属枠部１５５との間に大きな隙間１７５ｅが存在する。つまり、上面１７５ｂと前金属枠部１５５の上面との間に隙間１７５ｅが存在する。そのため、インサートモールド成形乃至オーバーモールド成形と称される成形方法によって成形された樹脂部１６１ａの一部が、前記隙間１７５ｅを通って進入し、上面１７５ｂが樹脂部１６１ａによって被覆され、上面１７５ｂ上に埋立部１６５ｂが形成されている。該埋立部１６５ｂの上面は前金属枠部１５５の上面と面一であり、前記埋立部１６５ｂの前面は前金属枠部１５５の前端面１５５ａ及び前枠部１６５の前端面１６５ａと面一である。その他の点については、図８に示される陥没部１７５と同様であるので、その説明を省略する。
【００８６】
このように、本実施の形態において、カード用トレイ１６０は、電極パッドを備えるカードを保持可能、かつ、カード用コネクタ１に挿入可能である。そして、カード用トレイ１６０は、カード用トレイ１６０のカード用コネクタ１への挿入方向前方に位置する前枠部１６５と、前枠部１６５の両端に連結された側枠部１６４とを含む枠部１６１であって、金属板から成る金属部１５１と、金属部１５１の周囲の少なくとも一部を被覆する樹脂部１６１ａとを含む枠部１６１を備え、金属部１５１は前金属枠部１５５を含み、前金属枠部１５５の前端面１５５ａは前枠部１６５の前端面１６５ａに露出し、前金属枠部１５５は陥没部１７５を含み、陥没部１７５の前面１７５ａは、前金属枠部１５５の前端面１５５ａと面一であるとともに、前端面１５５ａから前枠部１６５の厚さ方向に変位した部分を含んでいる。
【００８７】
したがって、イジェクトレバー２１の作用点部２１ａが当接して、該作用点部２１ａから強い力を受けても、前枠部１６５の強度が高く、前枠部１６５は、摩滅したり損傷を受けたりすることがない。また、金属部１５１が樹脂部１６１ａによって被覆されるので、カードの短絡が生じることがない。したがって、高い信頼性を得ることができる。
【００８８】
また、陥没部１７５の後面１７５ｄは、前面１７５ａと平行であって、前枠部１６５の樹脂部１６１ａ内に埋没している。したがって、アンカー効果が得られ、前金属枠部１５５と前枠部１６５とがより強固に一体化される。
【００８９】
さらに、陥没部１７５の上面１７５ｂは、前金属枠部１５５の上面から陥没している。したがって、陥没部１７５の前面１７５ａが上下方向に亘って延在する範囲が、陥没部１７５外の前金属枠部１５５の前端面１５５ａが上下方向に亘って延在する範囲よりも広くなるので、イジェクトレバー２１の作用点部２１ａが前金属枠部１５５の前端面１５５ａよりも下方になっても、作用点部２１ａは、陥没部１７５の前面１７５ａに確実に当接することとなる。
【００９０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９１】
図１３は本発明の第２の実施の形態におけるカード用トレイ及びその金属部を示す斜視図、図１４は本発明の第２の実施の形態におけるカード用トレイの三面図、図１５は本発明の第２の実施の形態におけるカード用トレイの金属部の三面図、図１６は本発明の第２の実施の形態におけるカード用コネクタの斜視図、図１７は本発明の第２の実施の形態におけるカード用コネクタにカード用トレイを挿入した状態を示す斜視図であってシェルを取外した状態を示す図である。なお、図１３において、（ａ）はカード用トレイを示す図、（ｂ）はカード用トレイの金属部を示す図であり、図１４及び１５において、（ａ）は上面図、（ｂ）は側面図、（ｃ）は下面図であり、図１６において、（ａ）はシェルを取付けた状態を示す図、（ｂ）はシェルを取外した状態を示す図である。
【００９２】
本実施の形態におけるカード用トレイ１６０は、カード収容空間としての空間部１６６が単一であって、第１空間部１６６ａと第２空間部１６６ｂとに区分されていない点で、前記第１の実施の形態と相違する。したがって、本実施の形態におけるカード用トレイ１６０の枠部１６１は、中間枠部１６７を含んでいない。また、側枠部１６４が第１側枠部１６４ａと第２側枠部１６４ｂとに区分されることもなく、庇部１６８が第１庇部１６８ａと第２庇部１６８ｂとに区分されることもない。
【００９３】
同様に、本実施の形態における金属部１５１も、開口１５６が単一であって、第１開口１５６ａと第２開口１５６ｂとに区分されていない。したがって、本実施の形態における金属部１５１は中間金属枠部１５７を含んでいない。また、金属側枠部１５４が第１金属側枠部１５４ａと第２金属側枠部１５４ｂとに区分されることもなく、金属側壁部１５８が第１金属側壁部１５８ａと第２金属側壁部１５８ｂとに区分されることもない。
【００９４】
なお、本実施の形態において、空間部１６６に収容されるカードはナノＳＩＭカードであるものとして説明する。
【００９５】
また、本実施の形態におけるカード用トレイ１６０においては、空間部１６６の内側に金属部１５１の一部が露出している。具体的には、金属側枠部１５４が空間部１６６の内側に向けて大きく延出して庇部１６８となっている。それとともに、第１アンカー用開口部１７２及び第２アンカー用開口部１７３も、大きく形成され、庇部１６８内において空間部１６６の内側に向けて延出している。そして、前記第１アンカー用開口部１７２及び第２アンカー用開口部１７３に進入した樹脂部１６１ａの一部が、第１島部１６８ｄ及び第２島部１６８ｃを形成し、該第１島部１６８ｄ及び第２島部１６８ｃの上面が金属側枠部１５４の上面よりも上方に位置する。
【００９６】
したがって、空間部１６６内に収容されたカードの下面に配設された電極パッドは、絶縁性の樹脂から成る第１島部１６８ｄ及び第２島部１６８ｃの上面に当接しても、金属から成る金属側枠部１５４に当接することはない。さらに、後枠部１６２、側枠部１６４及び前枠部１６５における空間部１６６の内側に向いた側面、すなわち、内側面は、すべて絶縁性の樹脂で覆われており、金属部１５１は露出していない。これにより、空間部１６６内に収容されたカードの下面に配設された電極パッドの周縁がカードの側面に露出していたとしても、金属から成る金属部１５１のいずれの箇所にも当接することはない。
【００９７】
さらに、本実施の形態における金属部１５１の後金属枠部１５２は、金属側枠部１５４と同一平面上に延在する平面部１５２ａと、該平面部１５２ａに対してほぼ直角となるように上方に曲げられたＹ−Ｚ方向に延在する垂直壁部１５２ｂとを含んでいる。前記平面部１５２ａの下面は後枠部１６２の下面と面一になるように露出し、垂直壁部１５２ｂは後板部１６３内に埋没する。
【００９８】
カード用トレイ１６０のその他の点の構成については、前記第１の実施の形態と同様であるので、説明を省略する。
【００９９】
本実施の形態におけるカード用コネクタ１は、接続端子として、第１端子５１のみを備え、第２端子５２及び第３端子５３を備えていない点で、前記第１の実施の形態と相違する。したがって、本実施の形態におけるハウジング１１の底壁部１１ｂは、第１端子保持凹部１１ｃのみを備え、第２端子保持凹部１１ｄ及び第３端子保持凹部１１ｇを備えていない。
【０１００】
また、本実施の形態における検出スイッチの可動部材１７及び固定部材１６は、カード用トレイ１６０が所定位置に到達していない場合に離間し、カード用トレイ１６０が前記所定位置に到達すると接触する点で、前記第１の実施の形態と相違する。
【０１０１】
カード用コネクタ１のその他の点の構成については、前記第１の実施の形態と同様であるので、説明を省略する。また、カード用コネクタ１の動作についても、前記第１の実施の形態と同様であるので、説明を省略する。さらに、効果についても、前記第１の実施の形態と同様であるので、説明を省略する。
【０１０２】
なお、本発明は前記実施の形態に限定されるものではなく、本発明の趣旨に基づいて種々変形させることが可能であり、それらを本発明の範囲から排除するものではない。
【産業上の利用可能性】
【０１０３】
本発明は、カード保持部材及びカード用コネクタに適用することができる。
【符号の説明】
【０１０４】
１    カード用コネクタ
１１、８１１    ハウジング
１１ａ    奥壁部
１１ｂ    底壁部
１１ｃ    第１端子保持凹部
１１ｄ    第２端子保持凹部
１１ｅ    側壁部
１１ｆ    前端部
１１ｇ    第３端子保持凹部
１１ｒ    後端部
１２    下側シェル
１３    掛止突起
１６    固定部材
１７    可動部材
１８    挿入口
２１、８２１    イジェクトレバー
２１ａ、８２１ａ    作用点部
２１ｂ、８２１ｂ    力点部
２１ｃ、８２１ｃ    支点部
２２    プッシュロッド
２２ａ、８２２ａ    操作部
２２ｂ    係合部
５１    第１端子
５１ａ、５２ａ、５３ａ    接触部
５１ｄ、５２ｄ、５３ｄ、６４    ソルダーテール部
５２    第２端子
５３    第３端子
６２    天板部
６３    側板部
６３ａ    掛止開口
６５    シェル
７５    保持部材
７５ａ    保持用凸部
１５１    金属部
１５２    後金属枠部
１５２ａ    平面部
１５２ｂ    垂直壁部
１５４    金属側枠部
１５４ａ    第１金属側枠部
１５４ｂ    第２金属側枠部
１５４ｃ    連結部
１５５    前金属枠部
１５５ａ、１６５ａ    前端面
１５６    開口
１５６ａ    第１開口
１５６ｂ    第２開口
１５７    中間金属枠部
１５８    金属側壁部
１５８ａ    第１金属側壁部
１５８ｂ    第２金属側壁部
１５９    金属張出部
１５９ａ    側壁段差部
１５９ｂ    前端コーナ部
１６０    カード用トレイ
１６１    枠部
１６１ａ    樹脂部
１６２    後枠部
１６３    後板部
１６３ａ    挿通孔
１６４    側枠部
１６４ａ    第１側枠部
１６４ｂ    第２側枠部
１６４ｃ    凸部
１６５    前枠部
１６５ｂ    埋立部
１６６、９６６    空間部
１６６ａ    第１空間部
１６６ｂ    第２空間部
１６７    中間枠部
１６８    庇部
１６８ａ    第１庇部
１６８ｂ    第２庇部
１６８ｃ    第２島部
１６８ｄ    第１島部
１６９    アンカー部
１７１    第１アンカー用凹部
１７２    第１アンカー用開口部
１７３    第２アンカー用開口部
１７５    陥没部
１７５ａ    前面
１７５ｂ    上面
１７５ｃ    境界面
１７５ｄ    後面
１７５ｅ    隙間
８１２    スライド部材収容部
８２２    スライド部材
８２２ｂ    係合部材
８２５    コイルスプリング
８７５    保持用スプリング
９６１    枠部材
９６８    保持用凹部
【図１】
0006325996.tif 000002
【図２】
0006325996.tif 000003
【図３】
0006325996.tif 000004
【図４】
0006325996.tif 000005
【図５】
0006325996.tif 000006
【図６】
0006325996.tif 000007
【図７】
0006325996.tif 000008
【図８】
0006325996.tif 000009
【図９】
0006325996.tif 000010
【図１０】
0006325996.tif 000011
【図１１】
0006325996.tif 000012
【図１２】
0006325996.tif 000013
【図１３】
0006325996.tif 000014
【図１４】
0006325996.tif 000015
【図１５】
0006325996.tif 000016
【図１６】
0006325996.tif 000017
【図１７】
0006325996.tif 000018
【図１８】
0006325996.tif 000019